(57)【特許請求の範囲】
【請求項１】
検尺棒を杭芯の所定の複数の角度方向で且つそれぞれの方向において少なくとも２箇所に設けた逃げ芯に合わせ、杭或いは掘削ロッドを前記杭芯にセットし、前記検尺棒を水平になるように前記各逃げ芯に合わせながら該検尺棒の端部を杭或いは掘削ロッドに当てて杭芯位置の確認を行うことを特徴とする杭芯位置の確認方法。
【請求項２】
前記逃げ芯に前記検尺棒を遊動可能に支持する支持部材を設けたことを特徴とする請求項１に記載の杭芯位置の確認方法。
【請求項３】
前記検尺棒に水平器を設けたことを特徴とする請求項１または請求項２に記載の杭芯位置の確認方法。
【請求項４】
前記検尺棒に前記逃げ芯位置に対応する指示手段を設けたことを特徴とする請求項１〜３の何れか１項に記載の杭芯位置の確認方法。
【請求項５】
杭の建て込み中に前記逃げ芯を用いて杭芯位置の確認を行うことを特徴とする請求項１〜４の何れか１項に記載の杭芯位置の確認方法。
【発明の詳細な説明】
【技術分野】
【０００１】
本発明は、既存の冶具を用いた、建て込み前と建て込み中の杭の杭芯位置の確認を、正確且つ容易に行う杭芯位置の確認方法に関するものである。
【背景技術】
【０００２】
従来から図５に示す様に杭５または掘削ロッド６やヤットコ８を埋設する際に杭芯１に対してそれらが正しく設置されているか、または、掘削終了後に杭５または掘削ロッド６やヤットコ８が正確に杭芯１位置にあるかどうかを確認するために、直角２方向に逃げ芯２を設置している方法が知られている。
【０００３】
しかしながら、この様な管理方法では杭５の建て込み中、杭芯１位置の確認時に、以前と同位置に検尺棒４を当てるのが困難であり、且つ検尺棒４の水平方向の精度が悪いという問題があった。
【０００４】
前述の図５に示す従来の問題を解決するために、最近になって例えば、特開２００６−３４８５９２号公報（特許文献１）に示す如く、開閉可能に枢着した１対の棒状体を略直角位置で固定可能に設け、略直角にした棒状体の角部に杭芯棒を挿入する杭芯棒穴を形成するとともに、一対の棒状体に杭芯棒穴から同じ距離をおいた位置に逃げ芯棒を挿入する逃げ芯棒穴をそれぞれ形成する杭芯管理冶具が開発されている。
【０００５】
【特許文献１】特開２００６−３４８５９２号公報
【発明の開示】
【発明が解決しようとする課題】
【０００６】
しかしながら、前記特許文献１の発明に於いては、１対の棒状体を略直角位置で固定可能に設けている杭芯管理冶具を用いる事によって、建て込み前の杭芯位置の確認は容易に行うことはできるが、この杭芯管理冶具杭の建て込み中の杭あるいは掘削時のロッドの正確な杭芯位置が確認できず、また、掘削中のロッドは地中障害物によって正しい杭芯位置からずれる場合があり、芯ずれの発生原因になる。
【０００７】
また、前記特許文献１の発明では杭芯管理を行うのに新たな冶具が必要となり、冶具の製作、管理に手間を要するという問題があった。
【０００８】
本発明は前記課題を解決するものであり、その目的とするところは、既存の冶具を用いた、建て込み前と建て込み中の杭芯位置の確認を正確且つ容易に行う方法を提供することにある。
【課題を解決するための手段】
【０００９】
前記目的を達成するための本発明に係る杭芯位置の確認方法の第１の構成は、検尺棒を杭芯の所定の複数の角度方向で且つそれぞれの方向において少なくとも２箇所に設けた逃げ芯に合わせ、杭或いは掘削ロッドを前記杭芯にセットし、前記検尺棒を水平になるように前記各逃げ芯に合わせながら該検尺棒の端部を杭或いは掘削ロッドに当てて杭芯位置の確認を行うことを特徴とする。
【００１０】
また、本発明に係る杭芯位置の確認方法の第２の構成は、前記第１の構成において、前記逃げ芯に前記検尺棒を遊動可能に支持する支持部材を設けたことを特徴とする。
【００１１】
また、本発明に係る杭芯位置の確認方法の第３の構成は、前記第１、第２の構成において、前記検尺棒に水平器を設けたことを特徴とする。
【００１２】
また、本発明に係る杭芯位置の確認方法の第４の構成は、前記第１〜第３の構成において、前記検尺棒に前記逃げ芯位置に対応する指示手段を設けたことを特徴とする。
【００１３】
また、本発明に係る杭芯位置の確認方法の第５の構成は、前記第１〜第４の構成において、杭の建て込み中に前記逃げ芯を用いて杭芯位置の確認を行うことを特徴とする。
【発明の効果】
【００１４】
本発明に係る杭芯位置の確認方法の第１の構成によれば、杭の埋設前、埋設中に関わらず、検尺棒がずれることなく同位置に当てることが出来、正確な杭芯位置とのずれを確認することが可能である。また、構成が簡単で安価に芯ずれの発生を防止できる。
【００１５】
また、本発明に係る杭芯位置の確認方法の第２の構成によれば、逃げ芯に設けた支持部材により検尺棒を遊動可能に支持することができ、人が検尺棒を持たなくとも該検尺棒の端部を杭に当てて杭芯位置の確認ができる。
【００１６】
また、本発明に係る杭芯位置の確認方法の第３の構成によれば、検尺棒に設けた水平器を視認することにより該検尺棒の水平度を確認することが出来る。
【００１７】
また、本発明に係る杭芯位置の確認方法の第４の構成によれば、検尺棒に設けた指示手段を逃げ芯位置に合わせることで、逃げ心から杭までの検尺棒の長さを確認することができ、芯ずれの距離を正確に把握することができる。
【００１８】
また、本発明に係る杭芯位置の確認方法の第５の構成によれば、前述の逃げ芯を用いて杭の建て込み中に杭芯位置の確認を行うことが出来る。
【発明を実施するための最良の形態】
【００１９】
図により本発明に係る杭芯位置の確認方法の一実施形態を具体的に説明する。図１（ａ），（ｂ）は本発明に係る杭芯位置の確認方法を説明する平面図及び側面図、図２及び図３は逃げ芯に設けられた検尺棒を遊動可能に支持する各種の支持部材の構成を示す図、図４（ａ）は既製杭を埋設するための掘削ロッドの杭芯位置の確認方法を説明する側面図、図４（ｂ）は本杭の上部に接続されるヤットコ（雇杭）の杭芯位置の確認方法を説明する側面図である。
【００２０】
図１〜図５において、杭芯１位置を確認するに際して、一端部４ａが杭５、ヤットコ（雇杭）８或いは掘削ロッド６の回転軸表面に当接する検尺棒４を杭芯１の所定の複数の角度方向で且つそれぞれの方向において少なくとも２箇所に設けた逃げ芯２，３に合わせ、杭５、ヤットコ８或いは掘削ロッド６を杭芯１にセットし、検尺棒４を水平になるように各逃げ芯２，３に合わせながら該検尺棒４の一端部４ａを杭５、ヤットコ８或いは掘削ロッド６に当てて杭芯１位置の確認を行うことが出来る。
【００２１】
本実施形態では、検尺棒４を杭芯１の直角方向の２箇所に合わせた一例を示すが、他の種々の角度に設定された他の複数の数の検尺棒４を用いる構成とすることが出来、各方向において、２箇所以上の他の複数の逃げ芯を設けることでも良い。
【００２２】
逃げ芯２，３は予め設定された杭芯１位置に対応して地盤Ｇに立設されており、該逃げ芯２，３には検尺棒４を遊動可能に支持する支持部材７ａ，７ｂが設けられている。なお、逃げ芯２，３には丸型水準器（図示せず）が取り付けられており、これにより逃げ芯２，３の鉛直度を確認することが出来る。
【００２３】
図２に示す支持部材７ａ，７ｂは、断面コ字形状の板材で構成され、逃げ芯２側に設けられる支持部材７ａは、該逃げ芯２が挿通される貫通孔7a6が設けられた水平片7a3の一方の端部から垂直片7a2が垂下し、該垂直片7a2を貫通して設けられた雌ネジ部7a4に留めネジ7a5が螺合され、水平片7a3の貫通孔7a6に逃げ芯２を挿通して支持部材７ａを所望の高さに設定すると共に、雌ネジ部7a4に留めネジ7a5を螺合締結することにより逃げ芯２の表面に該留めネジ7a5の先端が当接して逃げ芯２に支持部材７ａが固定される。水平片7a3の他方の端部からガイド片7a1が垂下し、該ガイド片7a1と逃げ芯２との間に検尺棒４が遊動可能に拘束される。
【００２４】
一方、逃げ芯３側に設けられる支持部材７ｂは、該逃げ芯３が挿通される貫通孔7b6が設けられた水平片7b3の一方の端部から垂直片7b2が起立し、該垂直片7b2を貫通して設けられた雌ネジ部7b4に留めネジ7b5が螺合され、水平片7b3の貫通孔7b6に逃げ芯３を挿通して支持部材７ｂを所望の高さに設定すると共に、雌ネジ部7b4に留めネジ7b5を螺合締結することにより逃げ芯３の表面に該留めネジ7b5の先端が当接して逃げ芯３に支持部材７ｂが固定される。水平片7b3の他方の端部からガイド片7b1が起立し、該ガイド片7b1と逃げ芯３との間に検尺棒４が遊動可能に拘束される。
【００２５】
そして、逃げ芯３の位置よりも重心が杭芯１側にある検尺棒４を支持部材７ａ，７ｂの各水平片7a3の下面及び水平片7b3の上面に当接させて該水平片7b3上に載置することで、支持部材７ａ，７ｂにより検尺棒４が安定して遊動可能に支持される。
【００２６】
図３では、図２の逃げ芯３側に設けられた支持部材７ｂを逃げ芯２側にも前述と同様に設けて構成したものであり、逃げ芯３の位置よりも重心が逃げ芯２側にある検尺棒４を一対の支持部材７ｂの各水平片7b3の上面に載置することで、該一対の支持部材７ｂにより検尺棒４が安定して遊動可能に支持される。尚、支持部材７ａ，７ｂは上下反転することにより図２及び図３に示すように、共通に使用することが出来る。
【００２７】
なお、図２及び図３に示される支持部材７ａ，７ｂは、開放された形状であるため、開放端から検尺棒４を容易に遊動可能に支持することが出来る。また、図２及び図３に示される支持部材７ａ，７ｂをより閉じた形状とすると、検尺棒４をより安定して遊動可能に支持することが出来る。
【００２８】
検尺棒４には水平器９が設けられており、該水平器９を目視することにより検尺棒４の水平度を確認することが出来る。
【００２９】
また、検尺棒４の逃げ芯２，３位置に対応する部位には、図１（ａ）に示すように、ライン、指標、マーク、テープ等の指示手段10ａ，10ｂが設けられている。
【００３０】
また、杭５の立て込み前だけでなく、該杭５の建て込み中にも逃げ芯２，３を用いて杭芯１位置の確認を行うことが出来る。
【００３１】
図１に示す杭５は既製コンクリート杭または鋼管杭を示しており、杭５本体の先端部外周に少なくとも１周以上の螺旋状羽根５ａを設けている。また、図１に示す杭５以外にも杭５本体の先端部外周に螺旋状羽根５ａを設けないストレート杭や図４（ａ）に示す様に地盤Ｇの掘削時に用いる掘削ロッド６や図４（ｂ）に示す様に杭を埋設するときに用いる本杭の上部に接続されるヤットコ８も含まれる。
【００３２】
支持部材７ａ，７ｂを有さない構成においては、検尺棒４を水平に持ち、一端部４ａを杭芯１に当て、図１に示す様にもう一つの検尺棒４を前述の検尺棒４と直角方向になるように一端部４ａを杭芯１に当て、それぞれの他端部に逃げ芯２を取る。逃げ芯３は杭芯１と逃げ芯２との間に検尺棒４に接して１つ以上取る。
【００３３】
逃げ芯２，３および検尺棒４は一般的な冶具を使用するので安価且つ容易に管理できる。
【００３４】
杭５の埋設中または掘削ロッド６を用いて地盤Ｇの掘削中やヤットコ８を用いた杭５の埋設中に杭芯１位置を確認する場合は、埋設や掘削を中止し、静止状態の杭５または掘削ロッド６やヤットコ８に検尺棒４を前述と同様の手順で当てる。これより、正確な杭芯１位置とのずれを確認できる。
【００３５】
検尺棒４を２本以上の逃げ芯２，３に沿わせる事によって、検尺棒４を同位置に当てることができる。
【００３６】
従来例に於いては新たな杭芯管理冶具が必要であるが、本発明は、既存の冶具のみで正確な杭芯１位置を確認できる。
【産業上の利用可能性】
【００３７】
本発明の活用例として、既存の冶具を用いた、建て込み前と建て込み中の杭の杭芯位置の確認を、正確且つ容易に行う杭芯位置の確認方法に適用出来る。
【図面の簡単な説明】
【００３８】
【図１】（ａ），（ｂ）は本発明に係る杭芯位置の確認方法を説明する平面図及び側面図である。
【図２】逃げ芯に設けられた検尺棒を遊動可能に支持する各種の支持部材の構成を示す図である。
【図３】逃げ芯に設けられた検尺棒を遊動可能に支持する各種の支持部材の構成を示す図である。
【図４】（ａ）は既製杭を埋設するための掘削ロッドの杭芯位置の確認方法を説明する側面図、（ｂ）は本杭の上部に接続されるヤットコ（雇杭）の杭芯位置の確認方法を説明する側面図である。
【図５】従来例を説明する図である。
【符号の説明】
【００３９】
１…杭芯
２，３…逃げ芯
４…検尺棒
４ａ…一端部
５…杭
５ａ…螺旋状羽根
６…掘削ロッド
７ａ，７ｂ…支持部材
7a1…ガイド片
7a2…垂直片
7a3…水平片
7a4…雌ネジ部
7a5…留めネジ
7a6…貫通孔
7b1…ガイド片
7b2…垂直片
7b3…水平片
7b4…雌ネジ部
7b5…留めネジ
7b6…貫通孔
８…ヤットコ
９…水平器
10ａ，10ｂ…指示手段
Ｇ…地盤
【図１】
0005114223.tif 000002
【図２】
0005114223.tif 000003
【図３】
0005114223.tif 000004
【図４】
0005114223.tif 000005
【図５】
0005114223.tif 000006